(57)【特許請求の範囲】
【請求項１】
上面に電装品が取り付けられた圧縮機とこの圧縮機から吐出された冷媒の流れを制御する制御弁と熱交換器等が配置される熱交換ユニットにおいて、前記電装品側が高く反電装品側が低くなるように前記制御弁を前記圧縮機の上方に配置したことを特徴とする熱交換ユニット。
【発明の詳細な説明】
【０００１】
【発明の属する技術分野】
本発明は、圧縮機とこの圧縮機から吐出された冷媒の流れ制御する制御弁と熱交換器等が配置される熱交換ユニットに関するものである。
【０００２】
【従来の技術】
圧縮機とこの圧縮機から吐出された冷媒の流れ制御する制御弁と熱交換器等が配置された熱交換ユニットの構造が示された公報として実公平４−１３５４１号公報がある。
この公報で示された内容によれば、圧縮機とこの圧縮機から吐出された冷媒の流れを制御する制御弁（四方弁）とは、平面的に見てずれて配置されている。これは、圧縮機の上部には一般にターミナル端子（電装品）が位置するため、四方弁に付着したドレン水が圧縮機の上部に滴下させないようにするためである。
【０００３】
【発明が解決しようとする課題】
これによって、圧縮機の上部のターミナル端子の防水は確実に保たれる。しかしながら、圧縮機と制御弁（四方弁）とは、ずれて配置されているため、両者の設置スペースが大きくなることは否めなかった。
そこで、本発明は圧縮機の上方に制御弁を配置すると共に、この圧縮機の上部のターミナル端子の防水を確実に保って、この両者の設置スペースが大きくなることをおさえることを目的としたものである。
【０００４】
【課題を解決するための手段】
この目的を達成するために、本発明は、上面に電装品が取り付けられた圧縮機とこの圧縮機から吐出された冷媒の流れを制御する制御弁と熱交換器等が配置される熱交換ユニットにおいて、前記電装品側が高く反電装品側が低くなるように前記制御弁を前記圧縮機の上方に配置したものである。これによれば制御弁に付着したドレン水は圧縮機に滴下するおそれは少ない。
【０００６】
【発明の実施の形態】
以下、本発明の実施の形態を図面に基づいて説明する。
図１は本発明の実施の形態の熱交換ユニット（室外ユニット）１を示し、図示しない室内ユニットと冷媒配管で接続される。この室外ユニット１は室外に配置され、室外空気と熱交換して冷房運転時は冷媒を凝縮させて外気に熱を放出し、暖房時には冷媒を蒸発させて外気から熱を取り込む。
【０００７】
室外ユニット１内には、上から見て略Ｌ字状型の熱交換器２が配置されており、熱交換器２に室外空気を送風するプロペラファン３、ファンモータ４及びファンモータ５を支持する支持板５０が収容されている。パネル６にはファンガード７が設けられている。
図２を参照して、図２の右側には、圧縮機８、この圧縮機８の上方に配置された四方弁（圧縮機８から吐出された冷媒の流れを制御する制御弁）９、アキュムレータ１０、ストレーナ１１、圧縮機８を加熱するヒータ１２、並びにこれら機器をつなぐ冷媒管１３等が設けられている。
【０００８】
室外ユニット１の図２の上部には、種々の電装部品１４が設けられ、種々の電装部品１４並びに圧縮機８等の機器と熱交換器２との間は仕切板１５で仕切られている。本体は底板１６、外板１７、側板１８、天板１９及びパネル６で構成されている。プロペラファン３の回転により熱交換器２には外気が送風されて熱交換が行われる。
【０００９】
本体の側板１８のほぼ中間位置には、支持板２０が片持ち支持されている。この支持板２０にはガス管用サービスバルブ２１と液管用サービスバルブ２２とが固定される。
図３ないし図５は前記圧縮機８とこの圧縮機８の上方に配置された四方弁（圧縮機から吐出された冷媒の流れ制御する制御弁）９との関係を示すものである。これらの図において、２４は圧縮機８の吐出管２５につながれた高圧取出管で、その端部には、高圧スイッチ２６が配置されている。この高圧スイッチ２６は、圧縮機８からの吐出冷媒の圧力が異常に高くなると作動して、圧縮機８の運転を停止させる信号を出力するものである。２７は圧縮機８の上部に設けられたターミナル端子（電装品）で、圧縮機８に電源を供給するものである。
【００１０】
そして、この四方弁９の筒状本体２８は、圧縮機８の上方で且つターミナル端子（電装品）２７側が高く反ターミナル端子（電装品）側が低くなるようにこの圧縮機８の上面に対して角度Ａ（Ａ＝約５度）を保った傾斜状態となっている。この四方弁９について述べると、２９は第１接続管で、筒状本体２８の下方に延び屈曲管３０を介して圧縮機８につながれている。この屈曲管３０によって圧縮機８の運転時の振動が四方弁９に伝わりにくくしている。３１、３２、３３は第２ないし４接続管で、筒状本体２８の上方に延びている。第２接続管３１は室外熱交換器２に、第３接続管３２はアキュムレータ１０に、第４接続管３３は室内熱交換器（図示せず）に各々つながれる。
【００１１】
このように、四方弁９を、圧縮機８の上方で且つこの圧縮機８の上面に対して傾斜させた、さらに詳細には、圧縮機８の上面に設けた電装品側が高く反電装品側が低くなるようにしたことが本発明の特徴である。
このような構成としたことにより、冷房運転時は、第４接続管３３並びに第３接続管３２に低温低圧の冷媒が流れる。このため、これらの接続管３３、３２の表面に図３で示すようにドレン水３４が生成され、そのドレン水３４は、四方弁９の筒状本体２８に伝わる。しかしながら、この筒状本体２８は、ターミナル端子（電装品）２７側が高く反ターミナル端子側が低くなるよう傾斜した状態としたので、筒状本体２８に伝わったドレン水３４はその傾斜に従って、反ターミナル端子側へ滴下する。
【００１２】
一方、暖房運転時は、第２接続管３１並びに第３接続管３２に低温低圧の冷媒が流れるため、これらの接続管３１、３２の表面にドレン水３５が生成されるものの、そのドレン水３５は、冷房時と同様に反ターミナル端子側へ滴下する。尚、図３において、実線矢印は冷房運転時の冷媒の流れを、破線矢印は暖房運転時の冷媒の流れを示している。
【００１３】
このように、いずれの運転時においても、四方弁９の筒状本体２８からドレン水３４、３５が滴下するものの、そのドレン水３４、３５は反ターミナル端子側へ滴下するので、ターミナル端子２７の絶縁は保たれる。図４ならびに図５において、図２に示した機器と同一機器には、同一符号を付して、その説明は省略した。
【００１４】
ここで、四方弁９の筒状本体２８の傾斜角度は約５度と設定したが、これは筒状本体２８に内蔵された弁体（図示せず）の作動に支障のない角度である。一般的には、３０度程度まで支障のない角度と言われている。発明者の実験によれば、１０度程度までの傾斜であれば、弁体の作動に支障のないことが確認された。
【００１５】
【発明の効果】
本発明は、上面に電装品が取り付けられた圧縮機とこの圧縮機から吐出された冷媒の流れを制御する制御弁と熱交換器等が配置される熱交換ユニットにおいて、電装品側が高く反電装品側が低くなるように制御弁を圧縮機の上方に配置したものである。この発明によれば、制御弁を圧縮機の上方に配置してもこの制御弁に付着したドレン水は圧縮機に滴下するおそれは少ないので、これらの設置スペースの省スペース化を図り、熱交換ユニットの小型化を促進することができる。
【図面の簡単な説明】
【図１】本発明の熱交換ユニットの概略説明図である。
【図２】図１に示した熱交換ユニットの分解斜視図である。
【図３】図１に示した圧縮機と四方弁との関係を示す説明図である。
【図４】図１に示した熱交換ユニットの要部の平面図である。
【図５】図１に示した熱交換ユニットの要部の立面図である。
【符号の説明】
１      熱交換ユニット
２      熱交換器
８      圧縮機
９      制御弁（四方弁）
２７    電装品（ターミナル端子）
【図１】
0003744582.tif 000002
【図２】
0003744582.tif 000003
【図３】
0003744582.tif 000004
【図４】
0003744582.tif 000005
【図５】
0003744582.tif 000006